(57)【要約】【課題】流通過程において関係者が、物品に貼付された２層ラベルを読み取ることできることで物品の真贋判定やトレーサビリティの確保が可能な物品の管理方法を提供する。【解決手段】可変情報からなる秘密情報が形成された下紙ラベル８の上に、表面に固定情報が備えられ、前記秘密情報を隠蔽する上紙ラベル９が、剥離可能な接着層７を介して積層されてなる２層ラベル１０を使用した物品の管理方法であって、前記固定情報を撮像し、画像データを取得するステップ１と、ステップ１で取得した画像データから特徴点のデータを抽出するステップ２と、ステップ２で抽出した特徴点のデータをクラウドサーバに登録するステップ３と、物品に貼付された前記固定情報の画像を撮像することにより取得した特徴点のデータと、クラウドサーバに登録されている特徴点のデータと、を照合することにより真贋判定を行うステップ４と、を備えていることを特徴とする物品の管理方法。【選択図】図１
2020160670.tif 000002
【特許請求の範囲】
【請求項１】
可変情報からなる秘密情報が形成された下紙ラベルの上に、表面に固定情報が備えられ、前記秘密情報を隠蔽する上紙ラベルが、剥離可能な接着層を介して積層されてなる２層ラベルを使用した物品の管理方法であって、
前記固定情報を撮像し、画像データを取得するステップ１と、
ステップ１で取得した画像データから特徴点のデータを抽出するステップ２と、
ステップ２で抽出した特徴点のデータをクラウドサーバに登録するステップ３と、
物品に貼付された前記固定情報の画像を撮像することにより取得した特徴点のデータと、クラウドサーバに登録されている特徴点のデータと、を照合することにより真贋判定を行うステップ４と、を備えていることを特徴とする物品の管理方法。
【請求項２】
前記可変情報が、可変一次元または可変二次元コードまたはランダム番号のいずれか１以上からなる情報であり、
前記固定情報が、固定一次元または固定二次元コードからなる情報であることを特徴とする請求項１に記載の物品の管理方法。
【請求項３】
可変情報からなる秘密情報が印刷された下紙ラベルの上に、表面に固定情報が備えられ、前記秘密情報を隠蔽する上紙ラベルが、剥離可能な接着層を介して積層されてなる２層ラベルにおいて、
前記固定情報を撮像することにより取得した画像データから抽出した特徴点のデータがユニークであることを特徴とする２層ラベル。
【請求項４】
前記可変情報が、可変一次元または可変二次元コードまたはランダム番号のいずれか１以上からなる情報であり、
前記固定情報が、固定一次元または固定二次元コードからなる情報であることを特徴とする請求項３に記載の２層ラベル。
【発明の詳細な説明】
【技術分野】
【０００１】
本発明は、物品の管理方法およびそれに使用する２層ラベルに関する。
【背景技術】
【０００２】
海外市場における模倣品対策として、一点一点異なるシリアル番号が付与されたＱＲコード（登録商標）であるユニークＱＲ（ＱＲコード（登録商標）は（株）デンソーウェーブの登録商標、ユニークＱＲは凸版印刷（株）の登録商標。）やランダム番号を使った２層ラベルが活用され始めている。
【０００３】
この２層ラベルは、下紙と上紙の２層構成となっているラベルである。物品に貼り付けられた２層ラベルの上紙を剥がすことによって、下紙に印字されたユニークＱＲやランダム番号が露出する。物品の購入者が露出したユニークＱＲやランダム番号を、スマートフォンなどを使って読み取り、認証クラウドサーバにアクセスすることにより、真贋判定を行うことができる真贋判定システムが実用化されている。
【０００４】
この様に、ユニークＱＲやランダム番号を盗み見されて不正使用や複製されない様にするため、２層ラベルの上紙やスクラッチ印刷で、それらの秘密情報を隠蔽している。
【０００５】
この２層ラベルの問題点は、商品の流通過程において販売会社や小売業者の調査員などの関係者が２層ラベルのユニークＱＲやランダム番号を、真贋判定やトレーサビリティの確認に使用することができない事である。
【０００６】
２層ラベルを真贋判定やトレーサビリティの確保に使用できる様にするためには、例えば、ユニークＱＲを隠蔽せずに、一定回数までの読み取りを許可するシステムとすることが考えられる。しかし、その場合、不正使用者によるユニークＱＲの複製が可能となるリスクが生じてしまう問題がある。
【０００７】
一方、画像認識を用いた真贋判定を行う場合は、ユニークＱＲなどが複製されたことを判別することができるが、そのためには、専用アプリや、治具を用いて一定条件で撮像する必要がある、など一般消費者が利用可能となるには、告知や一定レベルの教育が必要となるため、導入するのは容易ではない。
【０００８】
そのため、流通過程において、販売会社や小売業者の調査員などの関係者が、真贋判定やトレーサビリティの確保をすることができる２層ラベルが待望されていた。
【０００９】
その様な技術に類似した先行技術としては、特許文献１に、籤情報を紙等の基材で被覆した被封籤が開示されている。
この技術は、１層目の紙に印刷された籤情報が、１層目の紙の上に積層された２層目の紙によって隠蔽されている点においては、２層ラベルと同等の構成である。しかしながら、この技術は、籤に限定されており、また二次元コードやユニークＩＤを設ける事に関する記載が無く、更には、流通過程における関係者による真贋判定やトレーサビリティの確保を可能とする事にも関係していない。
【先行技術文献】
【特許文献】
【００１０】
【特許文献１】特開２００８−４４１４５号公報
【発明の概要】
【発明が解決しようとする課題】
【００１１】
上記の事情に鑑み、本発明は、流通過程において関係者が、物品に貼付された２層ラベルを読み取ることできることで物品の真贋判定やトレーサビリティの確保が可能な物品の管理方法と、その物品の管理方法に使用する２層ラベルを提供することを課題とする。
【課題を解決するための手段】
【００１２】
上記の課題を解決する手段として、本発明の請求項１に記載の発明は、可変情報からなる秘密情報が形成された下紙ラベルの上に、表面に固定情報が備えられ、前記秘密情報を隠蔽する上紙ラベルが、剥離可能な接着層を介して積層されてなる２層ラベルを使用した物品の管理方法であって、
前記固定情報を撮像し、画像データを取得するステップ１と、
ステップ１で取得した画像データから特徴点のデータを抽出するステップ２と、
ステップ２で抽出した特徴点のデータをクラウドサーバに登録するステップ３と、
物品に貼付された前記固定情報の画像を撮像することにより取得した特徴点のデータと、クラウドサーバに登録されている特徴点のデータと、を照合することにより真贋判定を行うステップ４と、を備えていることを特徴とする物品の管理方法である。
【００１３】
また、請求項２に記載の発明は、前記可変情報が、可変一次元または可変二次元コードまたはランダム番号のいずれか１以上からなる情報であり、
前記固定情報が、固定一次元または固定二次元コードからなる情報であることを特徴とする請求項１に記載の物品の管理方法である。
【００１４】
また、請求項３に記載の発明は、可変情報からなる秘密情報が印刷された下紙ラベルの上に、表面に固定情報が備えられ、前記秘密情報を隠蔽する上紙ラベルが、剥離可能な接着層を介して積層されてなる２層ラベルにおいて、
前記固定情報を撮像することにより取得した画像データから抽出した特徴点のデータがユニークであることを特徴とする２層ラベルである。
【００１５】
また、請求項４に記載の発明は、前記可変情報が、可変一次元または可変二次元コードまたはランダム番号のいずれか１以上からなる情報であり、
前記固定情報が、固定一次元または固定二次元コードからなる情報であることを特徴とする請求項３に記載の２層ラベルである。
【発明の効果】
【００１６】
本発明の物品の管理方法によれば、予め物品に貼付した２層ラベルの上紙ラベルに印字された固定一次元コードまたは固定二次元コードを撮像して取得した画像データから抽出した特徴点をクラウドサーバに登録する。そのクラウドサーバに登録されている特徴点と、流通過程において関係者が物品に貼付された２層ラベルの上紙ラベルに印字された固定一次元コードまたは固定二次元コードを撮像して取得した画像データから抽出した特徴点と、を照合することにより、真贋判定が可能となる。以上により、流通過程においても関係者が２層ラベルを読み取ることでき、物品の確認が可能となる。
【００１７】
また、本発明の２層ラベルによれば、上紙ラベルに印字された固定一次元コードまたは固定二次元コードを撮像して取得した画像データから抽出した特徴点がユニークであるため、これらの固定一次元コードまたは固定二次元コードを物品に貼付しておくことで、流通過程において関係者が、その物品の真贋判定をする事が可能となる。更にはトレーサビリティを確保することができる。
【図面の簡単な説明】
【００１８】
【図１】本発明の物品の管理方法の一例を説明するブロック図。
【図２】本発明の２層ラベルの層構成を例示する断面図であって、（ａ）は上紙ラベルと下紙ラベルが積層された状態、（ｂ）は上紙ラベルと下紙ラベルが剥離した状態、をそれぞれ例示している。
【発明を実施するための形態】
【００１９】
＜物品の管理方法＞
本発明の物品の管理方法について説明する。
本発明の物品の管理方法は、本発明の２層ラベルを物品に貼付して管理する物品の管理方法である。
【００２０】
本発明の物品の管理方法は、２層ラベル１０の上紙ラベル９（図２参照）に印刷または印字された固定情報である、固定一次元または固定二次元コードを撮像し、その画像データを取得するステップ１と、ステップ１で取得した画像データから特徴点のデータを抽出するステップ２と、ステップ２で抽出した特徴点のデータを、インターネット回線を介して、クラウドサーバに登録するステップ３と、物品に貼付された前記固定一次元または固定二次元コードの画像を撮像することにより取得した特徴点のデータと、クラウドサーバに登録されている特徴点のデータと、を照合することにより真贋判定を行うステップ４と、を備えていることが特徴である。
【００２１】
図１を用いて、ステップ１〜ステップ４を、更に細かくしたＳ１〜Ｓ９で説明する。
【００２２】
（Ｓ１）
まず、画像データを取得可能な撮像装置を使用して、固定一次元コード（バーコードなど）または固定二次元コード（ＱＲコード（登録商標）など）を撮像することにより、画像データを取得する（ステップ１）。取得した画像データは、記憶装置に記憶しても良い。なお、記憶装置は撮像装置に備えられていても良いし、外部装置にあっても良い。また、撮像装置はスマートフォンなどの携帯情報端末であっても良い。
【００２３】
（Ｓ２）
次に、取得した画像データから、特徴点を抽出するプログラムを使用して、当該画像データの特徴点のデータを抽出する（ステップ２）。抽出した特徴点のデータは、記憶装置に記憶しても良い。なお、記憶装置は携帯情報端末に備えられていても良いし、外部にあっても良い。また、特徴点を抽出するプログラムは、携帯情報端末に備えられていても良いし、クラウドサーバなどの外部装置に備えられていても構わない。
【００２４】
（Ｓ３）
次に、抽出した特徴点のデータをクラウドサーバに登録する（ステップ３）。
【００２５】
（Ｓ４）
次に、物品に貼付された２層ラベルの上紙に印字された固定一次元コード（バーコードなど）または固定二次元コード（ＱＲコード（登録商標）など）を、スマートフォンなどの撮像装置を備え、画像データを取得可能な携帯情報端末を使用して撮像することにより、画像データを取得する（ステップ４）。
【００２６】
（Ｓ５）
次に、Ｓ４で取得した画像データから、特徴点を抽出し、特徴点のデータを算出する（ステップ４）。
【００２７】
（Ｓ６）
次に、Ｓ４で算出した特徴点のデータと、クラウドサーバに登録されている特徴点のデ
ータと、を照合する（ステップ４）。なお、照合する演算作業は、携帯情報端末が得た特徴点のデータをクラウドサーバに送り、クラウドサーバの中で照合する事でも良い。逆に、携帯情報端末がクラウドサーバの中に登録されている特徴点のデータを読み込むことによって、携帯情報端末の中で照合することであっても構わない。前者は、通信するデータ量が少なく、携帯情報端末が照合のための演算処理を行わないため、負担が軽くなる。後者は、通信するデータ量が多くなり、また、照合のための演算処理を携帯情報端末が行うため、負担が大きい。
【００２８】
（Ｓ７〜Ｓ９）
次に、Ｓ６における照合の結果、特徴点が一致した場合は真（本物）と判定し（Ｓ８）、特徴点が一致しない場合は贋（偽物）と判定する（Ｓ９）（ステップ４）。
【００２９】
以上の様にして、予め商品に貼付した２層ラベルの上紙に印字されている固定一次元または固定二次元コードを撮像し、その画像データから抽出した特徴点のデータをクラウドサーバに登録しておく。そして、商品が出荷された後、流通過程において関係者が、携帯情報端末を用いて、商品に貼付されている２層ラベルの上紙に印字されている固定一次元または固定二次元コードを撮像し、その画像データから抽出した特徴点のデータを、クラウドサーバに登録されている特徴点データと照合することで、その商品の真贋判定が可能となる。
【００３０】
＜２層ラベル＞
本発明の２層ラベルについて、図２を用いて説明する。
本発明の２層ラベル１０は、可変一次元または可変二次元コードまたはランダム番号などの可変情報からなる秘密情報が印刷された下紙ラベル８の上に、表面に固定一次元または固定二次元コードなどからなる固定情報が備えられ、前記秘密情報を隠蔽する上紙ラベル９が、剥離可能な接着層７を介して積層されてなる２層ラベルである。
【００３１】
本発明の２層ラベル１０は、前記固定情報を撮像することにより取得した画像データから抽出した特徴点のデータがユニークであることを特徴とする２層ラベルである。
【００３２】
本発明の２層ラベル１０において、可変とは、一つ一つ異なる、という意味で使用しており、可変一次元または可変二次元コードとは、一つ一つ異なる一次元または二次元コードを指している。
【００３３】
また、固定とは、変化しない同一の、という意味で使用しており、固定一次元または固定二次元コードとは、同一の一次元または同一の二次元コードを指している。
【００３４】
本発明の２層ラベル１０における固定一次元または固定二次元コードは、それらを撮像することにより取得した画像データから抽出した特徴点のデータがユニークであることが特徴である。ここでユニークとは、２つとして同じものが無い、という意味で使用している。
【００３５】
例えば、固定二次元コードとしては、ＵＲＬ（Ｕｎｉｆｏｒｍ  Ｒｅｓｏｕｒｃｅ  Ｌｏｃａｔｏｒ、インターネット上のファイルの住所）などがＱＲコード（登録商標）として２層ラベル１０の上紙ラベル９の上紙２に印刷または印字される。上紙２に印刷または印字されたＱＲコード（登録商標）は、全て同じ情報を持つＱＲコード（登録商標）であるが、形状としては完全に同一のものを印刷することは不可能である。２つとして同じ形状を持つ図形や文字を印刷や印字することは不可能である。そのため、ＱＲコード（登録商標）の画像データから形状または図形の特徴点を抽出すると、同じＱＲコード（登録商標）であっても、特徴点が異なるため、２つとして同じものが無い、ユニークな特徴点のデータが得られる。
【００３６】
例えば、紙はセルロース繊維からなるため、微視的に見ると表面の形態が同一のものを製造することは不可能である。更に、有版印刷やインクジェット印刷などの無版印刷であっても、同じ印刷版や印刷データを使用して印刷しても、紙やフィルムなどの被印刷体に印刷されたインキの形態を同一とすることは不可能である。
【００３７】
本発明は、この点に着目し、固定一次元または固定二次元コードなどの固定情報であっても、印刷物や印字物の形状から抽出した特徴点は、全て異なるユニークなものであることを利用している。そのため、２層ラベルの上紙ラベル９に印刷または印字された固定一次元コードや固定二次元コードなどの固定情報をユニークな情報として利用することができ、物品の真贋判定に使用することが可能である。
【００３８】
（上紙、下紙）
上紙２は、被印刷物となる紙をはじめ、樹脂シートや金属シートであっても構わない。印刷可能な材料からなりシート状またはフィルム状の物品であれば良い。下紙１についても同様である。
【００３９】
図２は、本発明の２層ラベルの層構成の例を示した断面図である。
図２（ａ）は、２層のラベル（下紙ラベル８と上紙ラベル９）が積層された２層ラベル１０を例示したものである。図２（ｂ）は、上紙ラベル９が、下紙ラベル８の剥離可能な粘着層７から剥離した状態を例示したものである。この様に、本発明の２層ラベル１０の剥離可能な粘着層７は、下紙１から可変二次元コード印刷層３が剥離せずに、下紙１と剥離可能な粘着層７との界面で剥離可能となる様な弱粘着性であることが望ましい。即ち、下紙１と可変二次元コード印刷層３との密着力は、剥離可能な粘着層７と可変二次元コード印刷層３との密着力より大きい。且つ、剥離可能な粘着層７と下紙１との密着力は、剥離可能な粘着層７と上紙２との密着力より小さいことにより、図１（ｂ）に例示した様に、剥離可能な粘着層７と下紙１との界面で剥離する。
【００４０】
図２において例示した様に、本発明の２層ラベル１０は、固定二次元コード印刷層４と、絵柄印刷層５と、上紙２と、剥離可能な粘着層７と、可変二次元コード３と、下紙１と、粘着層６と、をこの順に備えた積層体であっても良い。固定二次元コード印刷層４と絵柄印刷層５と上紙２と剥離可能な粘着層７は、上紙ラベル９を構成している。また、可変二次元コード３と下紙１と粘着層６は、下紙ラベル８を構成している。固定二次元コード印刷層４は固定一次元コード印刷層であっても構わない。また可変二次元コード印刷層３は可変一次元コード印刷層であっても構わない。
【実施例】
【００４１】
次に、本発明の２層ラベルとそれを使用した物品の管理方法に関する実施例について説明する。
【００４２】
＜実施例１＞
下紙ラベルと上紙ラベルを作成し、粘着層を介して両者を接着することにより、２層ラベルを得た。
下紙と上紙に合成紙を用意した。
【００４３】
まず、下紙に、インクジェット印刷装置を用いて、ＵＲＬを示した可変二次元コードと、アルファベットと数字からなるランダム番号を印字した。
上紙には、平版オフセット印刷装置を用いて、絵柄印刷層を印刷した後、ＵＲＬを示した固定二次元コードを印刷した。
【００４４】
次に、下紙の可変二次元コードを印刷した面と、上紙の固定二次元コードを印刷した面
とは反対側の面とを、接着後、剥離可能な弱粘着性の粘着組成物を塗布して粘着層を形成した直後に、ラミネートして積層を完了した。塗布・ラミネートには塗工部とラミネート部を備えた装置を使用した。
【００４５】
次に、下紙の表面に、粘着性の粘着組成物を塗布して粘着層を形成した直後に、剥離紙をラミネートすることにより、２層ラベルを得た。
【００４６】
次に、作成した２層ラベルの上紙に印刷された固定二次元コードを、スマートフォンを用いて撮像し、画像データを取得した。この画像データを、予めスマートフォンにインストールしておいた特徴点抽出用の専用のアプリケーションソフトウェアを用いて処理し、特徴点のデータを得た。この特徴点のデータを、インターネット回線に接続されているクラウドサーバに登録した。
【００４７】
このクラウドサーバは、予め本実施例のために用意したものである。インターネット回線を介して、前記のスマートフォンがアクセス可能なサーバである。また、このサーバは、スマートフォンから送信されて来た特徴点のデータを受信すると、そのデータと、予めサーバに保存されている特徴点のデータと、を照合することにより、特徴点のデータの真贋判定を行い、送信してきたスマートフォンに、その判定結果を返信するプログラムを備えている。
【００４８】
次に、作成した２層ラベルを、前記と同じアプリケーションソフトウェアがインストールされている別のスマートフォンにて撮像し、上紙ラベルに印刷されている固定二次元コードの画像データを取得し、特徴点のデータを算出した。算出した特徴点のデータを、インターネット回線を介して、前記のサーバに送信した。
【００４９】
サーバが、スマートフォンから送信された特徴点のデータを受信すると、サーバは予め登録された特徴点のデータと照合することで、それらの特徴点のデータが同一（真）であると判定した。
【００５０】
＜実施例２＞
実施例１では２層ラベルは１つであったが、実施例２においては２層ラベルを２つ使用した。その他は、実施例１と同様とした。
２つの２層ラベルのうち、１つの２層ラベルは、実施例１と同様にして、サーバに特徴点のデータを登録した。もう１つの２層ラベルは、サーバに特徴点のデータを登録しなかった。
【００５１】
この２つの２層ラベルのうちサーバに登録した２層ラベルについて、実施例１と同様にスマートフォンにより、上紙ラベルに印刷されている固定二次元コードの画像データを取得し、特徴点のデータを算出した。算出した特徴点のデータを、インターネット回線を介して、前記のサーバに送信した。その結果、特徴点のデータが同一（真）であると判定された。
【００５２】
また、サーバに登録していない、もう一方の２層ラベルについて、実施例１と同様にスマートフォンにより、上紙ラベルに印刷されている固定二次元コードの画像データを取得し、特徴点のデータを算出した。算出した特徴点のデータを、インターネット回線を介して、前記のサーバに送信した。その結果、特徴点のデータが同一（真）ではない（偽）と判定された。
【符号の説明】
【００５３】
１・・・下紙
２・・・上紙
３・・・可変二次元コード印字層
４・・・固定二次元コード印字層
５・・・絵柄印刷層
６・・・粘着層
７・・・剥離可能な粘着層
８・・・下紙ラベル
９・・・上紙ラベル
１０・・・２層ラベル
【図１】
2020160670.tif 000003
【図２】
2020160670.tif 000004